(57)【要約】【課題】本発明は、一対のコンパレータを用いた判別回路を採用することにより、被検査製品をコネクタに対して並列接続し、小型化及び省線化を行うことを目的とする。【解決手段】本発明による判別装置は、一対のコンパレータ(10,11)によって判別回路(4)を形成し、各被検査製品(A,B,C)はコネクタ(1)に対して並列接続されるようにした構成である。【選択図】図１
2006266790.tif 000002
【特許請求の範囲】
【請求項１】
判別回路(4)が接続されたコネクタ(1)に対して複数の披検査製品(A,B,C)を接続し、前記各被検査製品(A,B,C)の有無を前記判別回路(4)で判別するようにした判別装置において、
前記判別回路(4)は一対の互いに並列接続されたコンパレータ(10,11)よりなり、前記被検査製品(A,B,C)は前記コネクタ(1)に対して並列接続されるように構成したことを特徴とする判別装置。
【請求項２】
前記第１、第２コンパレータ(10,11)の各第１端子(10a,11a)に入力される前記電源(3)からの基準電圧(3a)は互いに異なるように設定されていることを特徴とする請求項１記載の判別装置。
【請求項３】
前記コネクタ(1)は、前記判別回路(4)側の第１コネクタ部(1A)と、前記被検査製品(A,B,C)側の第２コネクタ部(1B)とからなり、前記第１、第２コネクタ部(1A,1B)間は２本のみの信号ケーブル(2)で接続されていることを特徴とする請求項１又は２記載の判別装置。
【発明の詳細な説明】
【技術分野】
【０００１】
本発明は、判別装置に関し、特に、一対の互いに並列接続されたコンパレータを用いた判別回路を用いることにより、被検査製品をコネクタに対して並列接続を可能とし、回路構成の簡素化、スペースの小型化、配線の省線化及び消費電力の低減化を達成するための新規な改良に関する。
【背景技術】
【０００２】
従来、用いられていたこの種の判別装置としては、特許文献等を開示していないが、図２で示される構成を挙げることができる。
すなわち、図２において符号１で示されるものはコネクタであり、このコネクタ１は、全体が１個のコネクタで構成されている場合、又は、図２のように、一対のコネクタで間が信号ケーブル２で接続されている場合の何れかで構成されている。
【０００３】
前記コネクタ１の前段側には、電源３が接続されていると共に、第１、第２、第３判別回路４，５，６が接続され、各判別回路４，５，６は発光素子１０とフォトトランジスタ１１とからなるフォトインタラプタによって構成されている。
【０００４】
前記コネクタ１の後段側には、前記電源３に接続された電子機器等からなる各被検査製品Ａ，Ｂ，Ｃが前記各判別回路４，５，６に対応して各々接続されている。
【０００５】
前述の構成において、前記コネクタ１に被検査製品Ａが接続されると、第１判別回路４の発光素子１０に電源３が供給されるように構成（製品Ｂ，Ｃの場合は省略して図示）されており、前記第１判別回路４から第１判別信号４ａが出力されることにより、前記被検査製品Ａのコネクタ１への接続、すなわち、存在の確認を行うことができる。
尚、他の被検査製品Ｂ，Ｃの判別についても、前述と同様に、第２判別信号５ａ及び第３判別信号６ａによって存在の確認を行うことができる。
【発明の開示】
【発明が解決しようとする課題】
【０００６】
従来の判別装置は、以上のように構成されていたため、次のような課題が存在していた。
すなわち、コネクタに接続される各被検査製品に対応して各々判別回路を設けているため、被検査製品の数だけ信号ケーブルを配線しなければならず、かつ、判別回路も複雑で、小型化及び簡素化に対する大きい障害となっていた。
【課題を解決するための手段】
【０００７】
本発明による判別装置は、判別回路が接続されたコネクタに対して複数の披検査製品を接続し、前記各被検査製品の有無を前記判別回路で判別するようにした判別装置において、前記判別回路は一対の互いに並列接続されたコンパレータよりなり、前記被検査製品は前記コネクタに対して並列接続されるようにした構成であり、また、前記第１、第２コンパレータの各第１端子に入力される前記電源からの基準電圧は互いに異なるように設定されている構成であり、また、前記コネクタは、前記判別回路側の第１コネクタ部と、前記被検査製品側の第２コネクタ部とからなり、前記第１、第２コネクタ部間は２本のみの信号ケーブルで接続されている構成である。
【発明の効果】
【０００８】
本発明による判別装置は、以上のように構成されているため、次のような効果を得ることができる。
すなわち、コネクタに対して共通の１個の判別回路を設け、複数の被検査製品を互いに並列に接続することにより、被検査製品の数に応じて減少する抵抗値に基づいて判別を行うことができ、回路構成の簡素化、スペースの小型化、配線の省線化及び消費電力の低減化を達成することができる。
【発明を実施するための最良の形態】
【０００９】
本発明は、一対の互いに並列接続されたコンパレータを用いた判別回路を用いることにより、被検査製品をコネクタに対して並列接続を可能とし、回路構成の簡素化、スペースの小型化、配線の省線化及び消費電力の低減化を達成するようにした判別装置を提供することを目的とする。
【実施例】
【００１０】
以下、図面と共に本発明による判別装置の好適な実施の形態について説明する。
尚、従来例と同一又は同等部分については、同一符号を用いて説明する。
前記コネクタ１の前段側には、電源３が抵抗Ｒ１を介してコネクタ１に接続されると共に、抵抗Ｒ２及びＲ４を介して互いに並列接続された第１、第２コンパレータ１０，１１の各第１端子１０ａ，１１ａに接続し、前記コネクタ１の信号線１ａは直接前記各コンパレータ１０，１１の各第２端子１０ｂ，１１ｂに接続されている。
【００１１】
前記信号線１ａは、抵抗Ｒ３を介して接地され、前記抵抗Ｒ４は抵抗Ｒ５を介して接地されている。
従って、前記各コンパレータ１０，１１の第１端子１０ａ，１１ａに入力される電源３からの電圧は互いに異なる電圧からなる基準電圧であり、各コンパレータ１０，１１の第２端子１０ｂ，１１ｂに入力される前記信号線１ａからの電圧は後述のように被検査製品Ａ，Ｂ，Ｃ・・・・の数によって変化するように構成されている。
【００１２】
前記コネクタ１の後段側には、検査対象の被検査製品Ａ，Ｂ，Ｃ・・・が、互いに並列な状態で接続されるように構成され、前記各被検査製品Ａ，Ｂ，Ｃ・・・は、図示しない接続手段（例えば、周知のコネクタ、ワイヤ接続等）を介して第２コネクタ部１Ｂに接続され、各々等価的には所定の抵抗値を有するように構成されている。
【００１３】
従って、前記各被検査製品Ａ，Ｂ，Ｃをコネクタ１に対して接続すると、図１で示されるように、コネクタ１の一対のケーブル２に対して抵抗が並列接続された状態となり、被検査製品Ａ，Ｂ．Ｃの数の増加に従って抵抗値としては減少すると共に信号線１ａの電圧も変化するように構成されている。
【００１４】
次に、前述の構成において、コネクタ１に接続する被検査製品Ａ，Ｂ，Ｃの抵抗値をその種類によって種々設定しておくことにより、各コンパレータ１０，１１から出力される出力の組合せにより、被検査製品Ａ，Ｂ，Ｃの有無から種類までを判別することができる。
【産業上の利用可能性】
【００１５】
本発明は、被検査製品の判別だけではなく、プリント回路における各種回路ブロックの正常動作のチェック等にも適用可能である。
【図面の簡単な説明】
【００１６】
【図１】本発明による判別装置を示す回路図である。
【図２】従来の判別装置を示す回路図である。
【符号の説明】
【００１７】
１    コネクタ
１ａ    信号線
２    ケーブル
３    電源
Ａ，Ｂ，Ｃ    被検査製品
１０    第１コンパレータ
１１    第２コンパレータ
【図１】
2006266790.tif 000003
【図２】
2006266790.tif 000004